(57)【要約】【課題】ディスアグリゲーションで細分化された装置単位でのパス管理の運用性を向上させる。【解決手段】ディスアグリゲーションで細分化された複数の光ネットワーク装置に設定されたパスを表示するパス表示装置１は、光ネットワーク装置の各々の接続関係を示す構成情報１１を記憶する記憶部１０と、光ネットワーク装置としての方路装置（ＤＩＲ:Direction）の高速側ポートを特定し、構成情報１１に基づいて、特定した高速側ポートで区切られた光ネットワーク装置群が属する第１のグループを決定するグルーピング部２１と、光ネットワーク装置の各々の象徴、接続関係の象徴、および、第１のグループの象徴を画面表示する表示制御部２２と、を備える、ことを特徴とする。【選択図】図１
2019161284.tif 000002
【特許請求の範囲】
【請求項１】
ディスアグリゲーションで細分化された複数の光ネットワーク装置に設定されたパスを表示するパス表示装置であって、
前記光ネットワーク装置の各々の接続関係を示す構成情報を記憶する記憶部と、
前記光ネットワーク装置としての方路装置の高速側ポートを特定し、前記構成情報に基づいて、前記特定した高速側ポートで区切られた光ネットワーク装置群が属する第１のグループを決定するグルーピング部と、
前記光ネットワーク装置の各々の象徴、前記接続関係の象徴、および、前記第１のグループの象徴を画面表示する表示制御部と、を備える、
ことを特徴とするパス表示装置。
【請求項２】
前記グルーピング部は、
グルーピング用アルゴリズムに従って、または、オペレータからの操作に従って、前記第１のグループを決定する、
ことを特徴とする請求項１に記載のパス表示装置。
【請求項３】
ディスアグリゲーションで細分化された複数の光ネットワーク装置に設定されたパスを表示するパス表示装置であって、
前記光ネットワーク装置の各々の接続関係を示す構成情報を記憶する記憶部と、
前記光ネットワーク装置としての方路装置を特定し、前記構成情報に基づいて、互いに直接接続している前記方路装置間で区切られた光ネットワーク装置群が属する第２のグループを決定するグルーピング部と、
前記光ネットワーク装置の各々の象徴、前記接続関係の象徴、および、前記第２のグループの象徴を画面表示する表示制御部と、を備える、
ことを特徴とするパス表示装置。
【請求項４】
前記グルーピング部は、
グルーピング用アルゴリズムに従って、または、オペレータからの操作に従って、前記第２のグループを決定する、
ことを特徴とする請求項３に記載のパス表示装置。
【請求項５】
ディスアグリゲーションで細分化された複数の光ネットワーク装置に設定されたパスを表示するパス表示装置におけるパス表示方法であって、
前記パス表示装置の記憶部は、前記光ネットワーク装置の各々の接続関係を示す構成情報を記憶しており、
前記パス表示装置が、
前記光ネットワーク装置としての方路装置の高速側ポートを特定し、前記構成情報に基づいて、前記特定した高速側ポートで区切られた光ネットワーク装置群が属する第１のグループを決定するステップと、
前記光ネットワーク装置の各々の象徴、前記接続関係の象徴、および、前記第１のグループの象徴を画面表示するステップと、を実行する、
ことを特徴とするパス表示方法。
【請求項６】
ディスアグリゲーションで細分化された複数の光ネットワーク装置に設定されたパスを表示するパス表示装置におけるパス表示方法であって、
前記パス表示装置の記憶部は、前記光ネットワーク装置の各々の接続関係を示す構成情報を記憶しており、
前記パス表示装置が、
前記光ネットワーク装置としての方路装置を特定し、前記構成情報に基づいて、互いに直接接続している前記方路装置間で区切られた光ネットワーク装置群が属する第２のグループを決定するステップと、
前記光ネットワーク装置の各々の象徴、前記接続関係の象徴、および、前記第２のグループの象徴を画面表示するステップと、を実行する、
ことを特徴とするパス表示方法。
【発明の詳細な説明】
【技術分野】
【０００１】
本発明は、パス表示装置およびパス表示方法に関する。
【背景技術】
【０００２】
非特許文献１には、ROADM（reconfigurable optical add/drop multiplexer）システムについて開示されている。非特許文献１には、「運用局から各ROADMノードに対して，挿入（ADD），通過（THRU），分岐（DROP）の制御命令を発行する」と記載されており、オールインワン型光伝送装置（ROADMノード）のパス設定を実現する。非特許文献１によれば、運用局（ＯＳＳ（Operation Support System）：監視制御システム）は、パス管理を装置単位で行い、運用局のパス表示機能によって、パスを装置単位で表示する。図６には、従来のパス画面表示として、大阪、名古屋、新横浜、東京にそれぞれ配置された装置（大阪１、名古屋１、新横浜１、東京１）に亘って設定されたパスを、ＯＳＳの表示部が画面表示した例を示す。
【０００３】
一方、非特許文献２には、ディスアグリゲーション光伝送システムについて開示されている。光伝送システムにおけるディスアグリゲーションとは、光伝送システムを構成する装置を部品化し、部品同士を相互に接続可能にすることで柔軟なネットワーク構成を可能とすることをいう。非特許文献２には、「光伝送ネットワークの構築に必要となるトランスポート，ＷＤＭ，スイッチ，アクセスの各機能をそれぞれブレードとして提供する」と記載されている。つまり、非特許文献２によれば、従来のオールインワン型の光伝送装置を機能ごとに分割し、トランスポート機能を備える部品、ＷＤＭを備える部品、スイッチ機能を備える部品，アクセス機能を備える部品を光伝送システムに適宜導入する。
【先行技術文献】
【非特許文献】
【０００４】
【非特許文献１】“１週間で学ぶネットワークの要点  早わかり講座  身近になる光ネットワーク（１５）  光コア網を自在に運用できる「ROADM」”、［online］、［平成30年2月27日検索］、インターネット〈URL：http://itpro.nikkeibp.co.jp/article/COLUMN/20060607/240199/?rt=nocnt〉
【非特許文献２】“富士通，ディスアグリゲーション光伝送システムを発売”、［online］、［平成30年2月27日検索］、インターネット〈URL：http://www.optronics-media.com/news/20160323/40472/〉
【発明の概要】
【発明が解決しようとする課題】
【０００５】
非特許文献１，２を踏まえると、装置のディスアグリゲーションによって、ＯＳＳは、細分化された装置単位でパス管理を行う。このようなパス管理は、従来のオールインワン型光伝送装置、つまり、非ディスアグリゲーション構成の光伝送装置の機能単位でパス管理を行うことに等しい。このため、パス上の装置数が増大し、パス管理が複雑化する。また、ＯＳＳの表示部は、細分化された装置単位でパスを表示する。このようなパス表示は、非常に細かい表示であって煩雑であり、パス表示の視認性の低下をもたらし、パス管理をするオペレータの運用性低下の要因となり得る。
【０００６】
特に、細分化された装置単位のパス表示は、非ディスアグリゲーション構成の装置の内部配線による元々表示不要であった接続をセクションによる接続とする表示となる。このため、非ディスアグリゲーション構成の装置間のセクションによる接続と、非ディスアグリゲーション構成の装置内部品相当間のセクションによる接続とを区別することがオペレータにとって困難であり、運用性低下を招く可能性がある。
【０００７】
このような背景に鑑みて、本発明は、ディスアグリゲーションで細分化された装置単位でのパス管理の運用性を向上させることを課題とする。
【課題を解決するための手段】
【０００８】
前記した課題を解決するため、請求項１に記載の発明は、ディスアグリゲーションで細分化された複数の光ネットワーク装置に設定されたパスを表示するパス表示装置であって、前記光ネットワーク装置の各々の接続関係を示す構成情報を記憶する記憶部と、前記光ネットワーク装置としての方路装置の高速側ポートを特定し、前記構成情報に基づいて、前記特定した高速側ポートで区切られた光ネットワーク装置群が属する第１のグループを決定するグルーピング部と、前記光ネットワーク装置の各々の象徴、前記接続関係の象徴、および、前記第１のグループの象徴を画面表示する表示制御部と、を備える、ことを特徴とする。
【０００９】
また、請求項５に記載の発明は、ディスアグリゲーションで細分化された複数の光ネットワーク装置に設定されたパスを表示するパス表示装置におけるパス表示方法であって、前記パス表示装置の記憶部は、前記光ネットワーク装置の各々の接続関係を示す構成情報を記憶しており、前記パス表示装置が、前記光ネットワーク装置としての方路装置の高速側ポートを特定し、前記構成情報に基づいて、前記特定した高速側ポートで区切られた光ネットワーク装置群が属する第１のグループを決定するステップと、前記光ネットワーク装置の各々の象徴、前記接続関係の象徴、および、前記第１のグループの象徴を画面表示するステップと、を実行する、ことを特徴とする。
【００１０】
請求項１，５に記載の発明によれば、第１のグループの表示により、ディスアグリゲーションによって煩雑化したパス画面表示の視認性を向上させることができる。
したがって、ディスアグリゲーションで細分化された装置単位でのパス管理の運用性を向上させることができる。
【００１１】
また、請求項２に記載の発明は、請求項１に記載のパス表示装置であって、前記グルーピング部は、グルーピング用アルゴリズムに従って、または、オペレータからの操作に従って、前記第１のグループを決定する、ことを特徴とする。
【００１２】
請求項２に記載の発明によれば、第１のグループを自動で、または、手動で表示することができる。
【００１３】
また、請求項３に記載の発明は、ディスアグリゲーションで細分化された複数の光ネットワーク装置に設定されたパスを表示するパス表示装置であって、前記光ネットワーク装置の各々の接続関係を示す構成情報を記憶する記憶部と、前記光ネットワーク装置としての方路装置を特定し、前記構成情報に基づいて、互いに直接接続している前記方路装置間で区切られた光ネットワーク装置群が属する第２のグループを決定するグルーピング部と、前記光ネットワーク装置の各々の象徴、前記接続関係の象徴、および、前記第２のグループの象徴を画面表示する表示制御部と、を備える、ことを特徴とする。
【００１４】
また、請求項６に記載の発明は、ディスアグリゲーションで細分化された複数の光ネットワーク装置に設定されたパスを表示するパス表示装置におけるパス表示方法であって、前記パス表示装置の記憶部は、前記光ネットワーク装置の各々の接続関係を示す構成情報を記憶しており、前記パス表示装置が、前記光ネットワーク装置としての方路装置を特定し、前記構成情報に基づいて、互いに直接接続している前記方路装置間で区切られた光ネットワーク装置群が属する第２のグループを決定するステップと、前記光ネットワーク装置の各々の象徴、前記接続関係の象徴、および、前記第２のグループの象徴を画面表示するステップと、を実行する、ことを特徴とする。
【００１５】
請求項３，６に記載の発明によれば、第２のグループの表示により、ディスアグリゲーションによって煩雑化したパス画面表示の視認性を向上させることができる。
したがって、ディスアグリゲーションで細分化された装置単位でのパス管理の運用性を向上させることができる。
また、グループ化のために方路装置のみ特定すればよいので、グループ化のために必要な情報を少なくすることができ、グループ付きパス画面の表示の利便性を向上させることができる。
【００１６】
また、請求項４に記載の発明は、請求項３に記載のパス表示装置であって、前記グルーピング部は、グルーピング用アルゴリズムに従って、または、オペレータからの操作に従って、前記第２のグループを決定する、ことを特徴とする。
【００１７】
請求項４に記載の発明によれば、第２のグループを自動で、または、手動で表示することができる。
【発明の効果】
【００１８】
本発明によれば、ディスアグリゲーションで細分化された装置単位でのパス管理の運用性を向上させることができる。
【図面の簡単な説明】
【００１９】
【図１】第１の実施形態のパス表示装置の機能構成図である。
【図２】１つのパスが設定される細分化光ネットワーク装置群、および、細分化光ネットワーク装置群を区切るグループのパス画面表示例（１）である。
【図３】複数のパスが設定される細分化光ネットワーク装置群、および、細分化光ネットワーク装置群を区切るグループのパス画面表示例である。
【図４】パス表示処理のフローチャートである。
【図５】第２の実施形態における、１つのパスが設定される細分化光ネットワーク装置群、および、細分化光ネットワーク装置群を区切るグループのパス画面表示例（２）である。
【図６】従来のパス画面表示例である。
【発明を実施するための形態】
【００２０】
以下、図面を参照して本発明を実施するための形態（以下、「本実施形態」という）について説明する。
【００２１】
≪第１の実施形態≫
[構成]
本実施形態のパス表示装置は、例えば、ROADMシステムなどの光伝送システムに設定されるパスを管理するＯＳＳの表示部に相当する装置である。図１に示すように、本実施形態のパス表示装置１は、記憶部１０と、制御部２０と、入出力部３０といったハードウェアを備えている。制御部２０の具体例となるＣＰＵ（Central Processing Unit）が、記憶部１０の具体例となるメモリ上に読み込んだプログラム（図示せず）を実行することにより、本実施形態の方法を実現する。
【００２２】
記憶部１０は、各種情報を記憶する機能部である。記憶部１０は、構成情報１１と、グルーピング用アルゴリズム１２とを記憶している。
構成情報１１は、光ネットワークに配置されている光ネットワーク装置（ディスアグリゲーションで細分化された装置）の各々の接続関係を示す情報である。
グルーピング用アルゴリズム１２は、後記するグルーピング部２１によるグルーピングを自動で実行可能にするアルゴリズムである。
【００２３】
制御部２０は、パス表示装置１の処理を実行する機能部である。制御部２０は、グルーピング部２１と、表示制御部２２とを備える。
グルーピング部２１は、所定の条件を満たす光ネットワーク装置群をグループ化する。グルーピング部２１によるグループの決定方法の詳細は後記する。
表示制御部２２は、光ネットワークに配置されている光ネットワーク装置に設定されたパスの画面表示を制御する。表示制御部２２による画面表示は、光ネットワーク装置の各々の象徴、構成情報１１に基づく光ネットワーク装置の接続関係の象徴、グルーピング部２１が決定したグループの象徴の画面表示を含む。
【００２４】
入出力部３０は、所定の情報を入力したり、所定の情報を出力したりする入出力インタフェースである。入出力部３０は、パス表示装置１を用いるオペレータの操作に従って所定の情報を入力することができる。また、入出力部３０は、表示制御部２２の制御に従う画面表示をすることができる。
【００２５】
（グループの決定方法）
図２を参照して、グルーピング部２１によるグループの決定方法について説明する。図２のパス表示画面に示すように、光ネットワークに配置されている光ネットワーク装置は、ＤＩＲ（Direction），ＳＲＧ（colorless/directionless (C/D) add/drop group : Shared risk resource group），ＴＰＮ（Transponder）に分類することができる。しかし、光ネットワーク装置の分類は、上記に限られるものではなく、他の種類を用意してもよい。
【００２６】
また、本実施形態のパス画面表示では、ＤＩＲ，ＳＲＧ，ＴＰＮ間の接続関係（セクション：ＯＴＳ（Optical Transmission Section））を実線で象徴する。実線で示す接続関係は、構成情報１１に従う。
【００２７】
表示制御部２２は、パスを、実線の全体および一部に沿って画面表示することができる。ただし、図示内容を明瞭にするため、本実施形態のパス表示画面では、パス自体の画面表示は省略する。
【００２８】
ＴＰＮは、パスを終端し、クライアント信号（例：Ethernet（登録商標）規格の信号）に変換する終端装置である。本実施形態のパス画面表示では、ＴＰＮを長方形で象徴する。
ＳＲＧは、パスを多重して光信号に変換したり、多重された光信号をパスに分解したりする合分波装置である。本実施形態のパス画面表示では、ＳＲＧを台形で象徴する。台形の短底辺側が分流側を示し、長底辺側が合流側を示す。
ＤＩＲは、多重された光信号を送受信する方路装置である。本実施形態のパス画面表示では、ＤＩＲを正三角形で象徴する。正三角形の３頂点のうち、実線が通過する頂点は、ＤＩＲの高速側ポート（例：ＡＭＰ（Amplifier）:増幅器）を示す。
【００２９】
グルーピング部２１は、図２の実線で示す接続関係にある光ネットワーク装置群に対して、ＤＩＲを特定し、さらに、ＤＩＲの高速側ポートを特定する。また、グルーピング部２１は、特定した高速側ポートで、接続関係にある光ネットワーク装置群を区切る。その結果、グルーピング部２１は、区切りのない光ネットワーク装置間を同一グループとする。つまり、グルーピング部２１は、構成情報１１に基づいて、特定した高速側ポートで区切られた光ネットワーク装置群が属する複数のグループ（第１のグループ）を決定する。
【００３０】
表示制御部２２は、グルーピング部２１が決定したグループを画面表示することができる。図２に示すように、本実施形態のパス画面表示は、ＤＩＲの高速側ポートを用いた区切りを縦破線で象徴する。また、ＤＩＲの高速側ポートによって決定されたグループを、当該グループに属する光ネットワーク装置を象徴する図形を囲むアール状の四角で象徴する。
【００３１】
光ネットワーク装置のグループは、上記のグルーピング部２１がグルーピング用アルゴリズム１２に従って、自動で決定することができる。また、光ネットワーク装置のグループは、パス表示装置１を用いるオペレータが入出力部３０を操作して手動で決定することもできる。
【００３２】
本実施形態のパス画面表示は、図３に示すように、光ネットワーク全体に配置されている光ネットワーク装置に複数のパスが設定されている画面表示の場合にも適用することができる。
【００３３】
図３に示す一点鎖線の囲み線は、互いに接続され得る光ネットワーク装置を包含する区間を示す。よって、異なる囲み線にそれぞれ含まれる光ネットワーク装置同士が接続されることは無い。表示制御部２２は、図３に示す一点鎖線の囲み線を画面表示することもできる。しかし、一点鎖線の囲み線は、本発明に必須ではないので、表示制御部２２は、この囲み線を画面表示しないようにすることもできる。
【００３４】
図２の場合と同様、グルーピング部２１は、図３の実線で示す接続関係にある光ネットワーク装置群に対して、ＤＩＲを特定し、さらに、ＤＩＲの高速側ポートを特定する。また、グルーピング部２１は、特定した高速側ポートで、接続関係にある光ネットワーク装置群を区切る。その結果、グルーピング部２１は、区切りのない光ネットワーク装置間を同一グループとする。つまり、グルーピング部２１は、構成情報１１に基づいて、特定した高速側ポートで区切られた光ネットワーク装置群が属する複数のグループ（第１のグループ）を決定する。
【００３５】
図２および図３に示すように、グルーピング部２１による区切りは、ＤＩＲ高速側ポート−ＤＩＲ高速側ポート間で行われる。このため、決定された各グループに属する光ネットワーク装置群は、非ディスアグリゲーション構成の光伝送装置に相当する。よって、パス表示装置１は、非ディスアグリゲーション構成の光伝送装置単位をグループとして表示することができる。
【００３６】
グループの表示により、ディスアグリゲーションによって煩雑化したパス画面表示の視認性を向上させることができる。したがって、ディスアグリゲーションで細分化された装置単位でのパス管理の運用性を向上させることができる。
【００３７】
図２または図３のパス画面表示を視たオペレータは、グループの象徴によって、ディスアグリゲーションで細分化された光ネットワーク装置間の接続（セクション）を、グループ内の接続と、グループ間の接続とに区別して認識することができる。一般的に、長距離伝送は、ＤＩＲ−ＤＩＲ間で行われることが多く、光伝送装置が配備された建物（ビル）間で行われることが多い。よって、オペレータは、グループ化によって、建物単位での光ネットワーク装置の構成を直感的に認識することができる。
【００３８】
また、オペレータは、ディスアグリゲーションで細分化された光ネットワーク装置間のセクションを画面表示したパス画面表示であっても、セクションごとの伝送距離の違いを直感的に認識することができる。具体的には、建物内配線と建物間配線との違いを直感的に認識することができる。
【００３９】
［処理］
本実施形態のパス表示装置１が実行するパス表示処理について、図４を参照して説明する。パス表示処理は、入出力部３０を介してオペレータからパス画面表示の要求があったときに開始する。
【００４０】
まず、パス表示装置１は、制御部２０によって、記憶部１０から構成情報１１を読み出す（ステップＳ１）。次に、パス表示装置１は、グルーピング部２１によって、読み出した構成情報１１を参照して、ＤＩＲの高速側ポートを特定する（ステップＳ２）。
【００４１】
次に、パス表示装置１は、グルーピング部２１によって、構成情報１１で示される光ネットワーク装置群を、ステップＳ２で特定した高速側ポートで区切ることで、区切りのない光ネットワーク装置群が属するグループを決定する（ステップＳ３）。最後に、パス表示装置１は、表示制御部２２によって、入出力部３０を介して、構成情報１１およびグルーピング部２１の処理結果に基づいて、グループ付きパス画面を表示する（ステップＳ４）。
以上で、パス表示処理が終了する。
【００４２】
≪第２の実施形態≫
第２の実施形態の説明の際、第１の実施形態と重複する説明は省略する。
【００４３】
グルーピング部２１は、図５の実線で示す接続関係にある光ネットワーク装置群に対して、ＤＩＲを特定する。また、グルーピング部２１は、特定したＤＩＲ同士が直接接続している箇所で光ネットワーク装置群を区切る（区切りは縦破線で象徴）。その結果、グルーピング部２１は、区切りのない光ネットワーク装置間を同一グループとする。つまり、グルーピング部２１は、構成情報１１に基づいて、互いに直接接続しているＤＩＲ間で区切られた光ネットワーク装置群が属する複数のグループ（第２のグループ）を決定する。
【００４４】
第２の実施形態のパス表示処理は、第１の実施形態のパス表示処理と比較して、ＤＩＲの高速側ポートを特定する（図４のステップＳ２）代わりに、ＤＩＲを特定する点が相違し、その他は同じである。
【００４５】
第２の実施形態は、第１の実施形態と同様の効果を奏する。
また、第１の実施形態では、グループ化のために、ＤＩＲと、ＤＩＲの高速側ポートを特定する必要があったが、第２の実施形態によれば、ＤＩＲのみ特定すればよい。つまり、第２の実施形態によれば、第１の実施形態と比較して、グループ化のために必要な情報を少なくすることができ、グループ付きパス画面の表示の利便性を向上させることができる。
【００４６】
第２の実施形態においても、光ネットワーク装置のグループは、上記のグルーピング部２１がグルーピング用アルゴリズム１２に従って、自動で決定することができる。また、光ネットワーク装置のグループは、パス表示装置１を用いるオペレータが入出力部３０を操作して手動で決定することもできる。
【００４７】
≪その他≫
複数機種の装置が混在する光ネットワークであっても、ＤＩＲに相当する装置を特定することで、グルーピング部２１によるグループ化を実現することができる。
【００４８】
グループの象徴は、図２、図３、図５のように、アール状の四角に限らず、グループ内の光ネットワーク装置のグループ別の色分け表示や、異なる線種での表示など、さまざまな表示態様をとることができる。
【００４９】
各実施形態で説明した種々の技術を適宜組み合わせた技術を実現することもできる。
各実施形態で説明したソフトウェアをハードウェアとして実現することもでき、ハードウェアをソフトウェアとして実現することもできる。
その他、ハードウェア、ソフトウェア、フローチャートなどについて、本発明の趣旨を逸脱しない範囲で適宜変更が可能である。
【符号の説明】
【００５０】
１      パス表示装置
１０    記憶部
１１    構成情報
１２    グルーピング用アルゴリズム
２０    制御部
２１    グルーピング部
２２    表示制御部
３０    入出力部
【図１】
2019161284.tif 000003
【図２】
2019161284.tif 000004
【図３】
2019161284.tif 000005
【図４】
2019161284.tif 000006
【図５】
2019161284.tif 000007
【図６】
2019161284.tif 000008